(57)【要約】【課題】  車両のサブフレームのような比較的大型で、且つ重量のあるワークを少量の段ボールを用いて運搬することのできる技術を提供することを課題とする。【解決手段】  鋼製又は木製の外装ケース１で輸送する時に用いるワーク梱包体であって、外装ケースの底１ｈに配置される段ボール製の底パッド４上に起立し、長さ方向に複数の上向き凹溝５ａ…を有する段ボール製下固定部材５と、下固定部材と対向し、上向き凹溝と対向する複数の下向き凹溝７ａを有する段ボール製上固定部材７とを備え、下固定部材の上向き凹溝にワークの下端を係合、支持し、下固定部材に複数個のワークを並置して保持し、各ワークの上端に、上固定部材の下向き凹溝を係合、支持し、上固定部材を外装ケースの上端に架設するブリッジ部材２で外装ケースに保持させるようにした。【選択図】      図１
2005145505.tif 000002
【特許請求の範囲】
【請求項１】
板状体や枠状体のワークを複数個並置して載置するワーク梱包体で、このワーク梱包体を鋼製又は木製の外装ケースで輸送する時に用いるワーク梱包体であって、
前記外装ケースの底に配置される段ボール製の底パッド上に起立し、長さ方向に複数の上向き凹溝を有する段ボール製下固定部材と、該下固定部材と対向し、前記上向き凹溝と対向する複数の下向き凹溝を有する段ボール製上固定部材とを備え、
前記下固定部材の上向き凹溝にワークの下端を係合、支持し、該下固定部材に複数個のワークを並置して保持し、
該各ワークの上端に、前記上固定部材の下向き凹溝を係合、支持し、該上固定部材を外装ケースの上端に架設するブリッジ部材で該外装ケースに保持させるようにした、
ことを特徴とするワーク梱包体。
【請求項２】
前記下固定部材の複数の上向き凹溝は、深い部分と浅い部分とを交互に有し、前記上固定部材の複数の下向き凹溝は、該下固定部材の凹溝に対向するように、深い部分に対して浅い部分を、浅い部分に対して深い部分を向かい合うように有することを特徴とする請求項１記載のワーク梱包体。
【発明の詳細な説明】
【技術分野】
【０００１】
本発明は、板状体や枠状体のワークを外装ケースで輸送する際に用いられるワーク梱包体に関するものである。
【背景技術】
【０００２】
板状体や枠状体のワーク、例えば、車両の構成部材であるサブフレームのような比較的大型で、且つ重量のあるワークを、鋼製又は木製の外装ケースで輸送する際、外装ケースに該ワークを支持し、梱包する梱包部材が知られている。
【０００３】
従来、この種の技術として、自動車用ドアパネルの梱包用部材が知られている（例えば、特許文献１参照。）。
【特許文献１】実公平７−５１５１６号公報
【０００４】
特許文献１は、自動車用ドアパネルの梱包用支持装置に係り、鋼製の中空材で枠組構成体を形成し、該枠組構成体にドアパネル（ワーク）を並立状に積載、保持させる際、ワークの下端部、前部コーナー部、後端部等と枠組構成体の構成部材との間に、樹脂製（樹脂発泡材）の保持用緩衝パッドを介在させ、枠組構成体に対してワークを保持させて、輸送に供しているものである。
保持用緩衝パッドは、複数の凹部を長さ方向に複数個備え、複数枚のワークの端部やコーナー部を支持している。
【０００５】
以上の従来の技術は、枠組構成体にワークを積載、保持させる保持用緩衝パッドが樹脂発泡材なので、輸送後これを処分しようとした際、嵩張って輸送コストが嵩み、又焼却処分しようとすると、有毒ガスの問題が発生し、埋め立てにも適さず、環境上も好ましくない。
本発明は、以上の課題を解決すべくなされたものである。
【発明の開示】
【発明が解決しようとする課題】
【０００６】
本発明は、車両の構成部品であるサブフレーム等のような比較的大型で、且つ重量のあるワークを複数個梱包して輸送する際、ワークの梱包体を段ボール製とし、スペース効率良く、多数個のワークを最少の構成部材で安定良く梱包・支持し、ワークを含む梱包体を一体的に積載する外装ケースとの協働で、梱包体によるワークの梱包姿勢を安定化させることができるワークの梱包体を得ることを課題とする。
また、輸送後の梱包体の後処理が環境に優しく、また使用後の再使用、再生上も有利である梱包体を得ることをも課題とする。
【課題を解決するための手段】
【０００７】
請求項１に係る発明は、板状体や枠状体のワークを複数個並置して載置するワーク梱包体で、このワーク梱包体を鋼製又は木製の外装ケースで輸送する時に用いるワーク梱包体であって、前記外装ケースの底に配置される段ボール製の底パッド上に起立し、長さ方向に複数の上向き凹溝を有する段ボール製下固定部材と、該下固定部材と対向し、前記上向き凹溝と対向する複数の下向き凹溝を有する段ボール製上固定部材とを備え、前記下固定部材の上向き凹溝にワークの下端を係合、支持し、該下固定部材に複数個のワークを並置して保持し、該各ワークの上端に、前記上固定部材の下向き凹溝を係合、支持し、該上固定部材を外装ケースの上端に架設するブリッジ部材で該外装ケースに保持させるようにしたことを特徴とする。
【０００８】
請求項２に係る発明は、請求項１において、前記下固定部材の複数の上向き凹溝は、深い部分と浅い部分とを交互に有し、前記上固定部材の複数の下向き凹溝は、該下固定部材の凹溝に対向するように、深い部分に対して浅い部分を、浅い部分に対して深い部分を向かい合うように有することを特徴とする。
【発明の効果】
【０００９】
請求項１に係る発明では、外装ケースの底に配置される段ボール製の底パッド上に起立し、長さ方向に複数の上向き凹溝を有する段ボール製下固定部材と、下固定部材と対向し、上向き凹溝と対向する複数の下向き凹溝を有する段ボール製上固定部材とを備え、下固定部材の上向き凹溝にワークの下端を係合、支持し、下固定部材に複数個のワークを並置して保持し、各ワークの上端に、上固定部材の下向き凹溝を係合、支持し、上固定部材を外装ケースの上端に架設するブリッジ部材で該外装ケースに保持させるに際し、底パッド上に起立設置した下固定部材の凹溝と、上固定部材の凹溝との間に、板状体や枠状体のワークを複数個並置して載置、支持することができる。
ワークは、下端を下固定部材の凹溝と上固定部材の凹溝との間に支持させたので、ワークは上下端を固定部材で支持され、安定、確実に載置、支持することができ、上固定部材を外装ケースの上端に架設するブリッジ部材で支持するようにしたので、上固定部材の支持は、外装ケースの構成部材を使用し、且つ外装ケースの構造を利用して行なうことができ、部品の減少、共用化することができ、コスト、組立上有利である。
【００１０】
又底パッド、凹溝を設けた下固定部材、対応する凹溝を設けた上固定部材でワーク梱包体を構成するので、梱包体の構造が簡素で、且つ部品も少なく、更に底パッド上に下固定部材を起立させ、上固定部材を外装ケースの上部材間に架設するだけなので、ワークの載置、支持作業が容易である。
更にワークを外装ケースに載置、支持する梱包体を構成する底パッド、下固定部材、上固定部材は、段ボール製なので、輸送後の梱包体の後処理が環境に優しく、環境上極めて有利であり、分解、折り畳みも極めて容易で、且つ使用後の再使用、再生上も有利である梱包体を得ることができる。
【００１１】
請求項２に係る発明では、下固定部材の複数の上向き凹溝は、深い部分と浅い部分とを交互に有し、前記上固定部材の複数の下向き凹溝は、該下固定部材の凹溝に対向するように、深い部分に対して浅い部分を、浅い部分に対して深い部分を向かい合うようにしたので、ワークを板厚方向に並置、支持させる際、ワークの向きを交互に反転させて支持させることができる。
従って、ワークの板厚方向の一部に厚い部分を有するワークにおいては、ワークの向きを逆して支持させることで、隣接、並置されたワークの厚い部分が、隣接するワークの薄い部分に臨むこととなり、これを交互に反復することで、板厚方向の異形ワークを千鳥状に配置し、省スペース化を図り、スペース効率良く、ワークを梱包することができる。
【発明を実施するための最良の形態】
【００１２】
本発明を実施するための最良の形態を添付図に基づいて以下に説明する。なお、図面は符号の向きに見るものとする。
図１は、外装ケースを含む梱包体の構成部材を示す分解斜視図である。
１は鋼製の外装ケースで、立方囲枠体構造をなし、前後の下枠１ａ，１ａ、左右の下枠
１ｂ，１ｂ、この間に貼設された床板１ｈ、四隅の支柱枠１ｃ…（…は複数を表す。以下同じ）、前後の上枠１ｄ，１ｄ、左右の上枠１ｅ，１ｅを備え、中間支柱枠１ｇ…と、斜桁枠１ｇ…をも備える。
【００１３】
２，２は、左右２本示した前後の上枠１ｄ，１ｄ間に架設するブリッジ部材で、細幅の本体２ａの前後にＬ形に設けた取付片２ｂ，２ｂを、前後の上枠１ｄ，１ｄに設けた取付片２ｃ、２ｃにボルト３…で止着する。
以上の外装ケース１にワークを保持、梱包する梱包体を内装、設置する。梱包体は、底パッド４、下固定部材５、上固定部材７で構成する。
尚、外装ケースを鋼製としたが、木製のものに実施しうることは勿論である。
【００１４】
図２は、梱包体の分解斜視図である。（ａ）は上固体部材を、（ｂ）は下固定部材を示す。
説明の便宜上、下固定部材を示した（ｂ）から説明する。
底パッド４は段ボール製で、平面視矩形のフラットな底片４ａの一端部に低い起立縁４ｂを備える。
以上の底パッド４の底片４ａ上に、前後方向に下固定部材５を起立、設置し、固定部材５は、所定間隔を開けて平行に配置した左右の起立片５Ｌ，５Ｒからなる。
【００１５】
以上の左右の起立片５Ｌ，５Ｒは、基部の対向する内側に補強ブロック６，６を介して底パッド４の底片４ａ上に起立固定する。
具体的には、起立片５Ｌ，５Ｒの下部内側を補強ブロック６，６の側面に接着等し、補強ブロック６，６の底面及び起立片５Ｌ，５Ｒの下端縁を底パッド４の底片４ａ上に接着等した固定する。
【００１６】
下固定部材５及び補強ブロック６，６は段ボール製である。下固定部材５の左右の起立片５Ｌ，５Ｒのは、長さ方向（外装ケース１の前後方向）上端には、所定ピッチで上向きに開放した上向き凹溝５ａ…を設ける。
凹溝５ａ…は長さ方向に交互に深い部分５ｂ…、浅い部分５ｃ…を設けてなり、深い部分５の深さは夫々で同じであり、又浅い部分５ｃ…深さは夫々で同じである。深い部分５ｂ…、浅い部分５ｃ…は、左右の起立片起立片５Ｌ，５Ｒの同じ位置に左右で対向するように設ける。
【００１７】
上固定部材７は断面下向きチャンネル状で、段ボール製である。
平坦な上片７ｄの両側に左右の垂下片７Ｌ，７Ｒを備え、垂下片７Ｌ，７Ｒの下端には、下向き開放の下向き凹溝７ａ…を備え、該凹溝７ａ…は前記下固定部材５の起立片５Ｌ，５Ｒの上向凹溝５ａ…と対称的に対向し、上向き凹溝の深い部分５ｂに対しては下向き凹溝の浅い部分７ｃが上下で向かい合い、上向き凹溝の浅い部分５ｃに対しては下向き凹溝の深い部分７ｂが上下で向かい合う。
以上の上固定部材７の上片７の幅及び左右の垂下片７Ｌ，７Ｒの幅は、下固定部材５の左右の起立片５Ｌ，５Ｒよりも狭い。
【００１８】
尚、以上の説明では、起立片５Ｌ，５Ｒ或いは垂下片７Ｌ，７Ｒの向かい合う凹溝５ａ，７ａを対向するように、対称的に深い部分、浅い部分としたが、上下で同じ深さとしても良く、或いは一方に対し他方を深くしても良い。
上記図２の実施例のように、上下で向かい合う凹溝を千鳥状に深く、浅く配置する必要はない。
【００１９】
図３は、ワークＷを外装ケース１に梱包、載置する作業を示す説明的正面図である。
ワークＷは、実施例では囲枠状の車両用サブフレームとした。
外装ケース１の底床１ｈ上に、中央部の境にして、左右に前記下固定部材５を起立、設置した底パッド４，４を２個配置して載置する。底パッド４，４は、起立縁４ｂ，４ｂを向かい合わせて突き当てる。
起立した左右の起立片５Ｌ，５Ｒの左右の上向き凹溝５ａ…上から、ワークＷの下横枠部Ｗ１の左右の部分を２カ所嵌合・支持する。前後に設けた複数の上向き凹溝５ａ…を介して同数のワークＷ…を起立させて支持し、載置する。
【００２０】
次に、前記した前後の上枠１ｄ、１ｄに設けた取付片２ｃ，２ｃ間に、上固体部材７を配置する。該上固定部材７の左右の垂下片７Ｌ，７Ｒに設けた下向き凹溝７ａ…を、ワークＷの上横枠部Ｗ２の左右の部分に嵌合するように、矢印の通り上から、前後の上枠１ｄ、１ｄ間に押下げ、セットする。
爾後、上固定部材７の上片７ｄ上からブリッジ部材２を矢印の通り載置し、取付片２ｃ、２ｃ間に架設する。
これにより、ワークＷ…の上部は、左右２カ所で上から上固体部材７で下向き凹溝７ａ…により押圧、固定されることとなり、上固定部材７の押下げ支持部材は、外装ケース１の前後の上枠１ｄ、１ｄ間に架設するブリッジ部材で兼用することができる。
【００２１】
図４は、ワークＷを梱包収納した状態を示す説明的正面図である。
ブリッジ部材２は、前後の取付片２ｃ、２ｃに前後の取付片２ｂ，２ｂをボルト３…で固定し、前後の上枠１ｄ、１ｄ間の補強ブリッジとともに、上固定部材を保持する。
【００２２】
図５、深い部分と浅い部分とからなる上向き凹溝を有する下固定部材を示す要部の拡大側面図で、下固定部材を新たな符号１５で示した。
下固定部材１５には、図の左右方向に所定ピッチで上向きの深い凹溝１５ａ、浅い凹溝１５ｂが交互に設けられている。
ワークＷは、側部の上部及び下部に膨出部Ｗ３，Ｗ４を備え、ワークＷを、向きを反転させ、逆にすることで、膨出部Ｗ３，Ｗ４向かい合わせとなってぶつかることとなる。
【００２３】
ところで、凹溝は、上記した通り、深い分部分１５ａ、浅い部分１５ｂを備え、向かい合ったワークＷの下端部を交互に嵌合、支持させることで、ワークＷは上下にズレて支持されることとなる。この結果、膨出部Ｗ３，Ｗ４は一方が他方の膨出部に隣接して形成された空所に入り込み、位相がズレて相互に干渉しないこととなる。
この結果、図のＬで示した寸法内に６個のワークが支持、梱包されることとなる。
【００２４】
図６は、凹溝の深さが同一の下固定部材の要部の拡大側面図である。
下固定部材２５の凹溝２５ａ…にピッチは、上記した図５の実施例に対して倍で、寸法Ｌ内に３個の凹溝２５ａ…が設けられている。
凹溝２５ａ…は深さが同じなので、ワークＷ…は向きを同じくして、同じ高さで支持、梱包することができる。
【００２５】
図７は、外装ケース１にワークＷ…を梱包体で載置、梱包、支持した状態を示す斜視図である。
実施例では、外装ケース１内に２組の梱包体を配置し、即ち底床１ｈ上に左右に底パッド４，４を左右に隣接して載置し、各底パッド４，４上に下固定部材５の左右の起立片５Ｌ，５Ｒを補強ブロック６，６を介して起立設置する。この２組の下固定部材５上上向き凹溝５ａ…を介して、ワークＷ，Ｗ…を並置して載置、支持する。
前後並べて複数後支持したワークＷの中間部上から、上固定部材７の左右の垂下片７Ｌ，７Ｒを下向き凹溝７ａを介して嵌合し、ワークＷの上端部を支持し、爾後、上固定部材７の上片７ａを前後の上枠１ｄ，１ｄ間に架設したブリッジ部材２，２で押圧、保持する。
【００２６】
図７では、上下の固定部材５，７の凹溝の深さが同じものを用いた例を示したが、図５のものでは、ワークの下部及び上部が、図の前後方向に交互に高低配置となり、ワークＷの前後の支持、配置ピッチは、図７のものに比し、細かくなる。
【００２７】
尚、、一般の車両に適用することは差し支えない。
【産業上の利用可能性】
【００２８】
本発明に係る梱包体は、実施の形態では車両のサブフレームの他、梱包するワークとしては、囲枠状、板状の比較的大型のワークに適用するのに好適である。
【図面の簡単な説明】
【００２９】
【図１】外装ケースを含む梱包体の構成部材を示す分解斜視図である。
【図２】梱包体の分解斜視図で、（ａ）は上固体部材を、（ｂ）は下固定部材を示す。
【図３】ワークＷを外装ケースに梱包、載置する作業を示す説明的正面図である。
【図４】ワークＷを外装ケースに梱包、収納した状態を示す説明的正面図である。
【図５】深い部分と浅い部分とからなる上向き凹溝を有する下固定部材を示す要部の拡大側面図である。
【図６】凹溝の深さが同一の下固定部材の要部の拡大側面図である。
【図７】外装ケースにワークを梱包体で載置、梱包、支持した状態を示す斜視図である。
【符号の説明】
【００３０】
１…外装ケース、  ２…ブリッジ部材、  ４…底パッド、  ５…下固定部材、  ５ａ，５ｂ，５ｃ…上向き凹溝、  ７…上固定部材、  ７ａ，７ｂ，７ｃ…下向き凹溝、  Ｗ…ワーク。
【図１】
2005145505.tif 000003
【図２】
2005145505.tif 000004
【図３】
2005145505.tif 000005
【図４】
2005145505.tif 000006
【図５】
2005145505.tif 000007
【図６】
2005145505.tif 000008
【図７】
2005145505.tif 000009